(57)【要約】    【課題】  色画素領域を構成する単色発光領域の面積変更について自由度が高く、かつ製造工程に関わる条件を求めるのが容易であり、その結果、各発光素子間の輝度や寿命を調整することができ、ホワイトバランスの制御が容易になるとともに装置全体としての寿命も長い電気光学装置を提供すること。    【解決手段】  互いに異なる色で発光する単色発光領域（１４、１５、１６）を複数種含む電気光学装置（１００）であって、各単色発光領域は、略同一色で発光し、かつ、略同一面積を有する１以上の基本画素（１７、１８、１９）によって構成されており、各単色発光領域の前記基本画素の総数が、他の単色発光領域を構成する前記基本画素との間で生じる特定の不均衡状態を解消するような数に設定されていることを特徴とする電気光学装置（１００）を提供した。【選択図】    図１
2005209542.tif 000002
【特許請求の範囲】
【請求項１】
互いに異なる色で発光する単色発光領域を複数種備える電気光学装置であって、
各単色発光領域は、略同一色で発光し、かつ略同一面積を有する１以上の基本画素によって構成されており、
各単色発光領域の前記基本画素の総数が、他の単色発光領域を構成する前記基本画素との間で生じる特定の不均衡状態を解消するような数に設定されていることを特徴とする電気光学装置。
【請求項２】
前記不均衡状態は各単色発光領域間における前記基本画素の発光効率の相違であって、
前記発光効率が低い基本画素を備える単色発光領域ほど、当該単色発光領域を構成する前記基本画素の総数が多く設けられている、請求項１に記載の電気光学装置。
【請求項３】
前記不均衡状態は各単色発光領域間における前記基本画素の耐久時間の相違であって、
前記耐久時間が短い基本画素を備える単色発光領域ほど、当該単色発光領域を構成する前記基本画素の総数が多く設けられている、請求項１に記載の電気光学装置。
【請求項４】
前記不均衡状態は全単色発光領域の合成色が白色となるために必要とされる、各単色発光領域間の光量の相違であって、
前記必要とされる光量が大きい単色発光領域ほど、当該単色発光領域を構成する前記基本画素の総数が多く設けられている、請求項１に記載の電気光学装置。
【請求項５】
前記不均衡状態は全単色発光領域の合成色を白色とする場合の、各単色発光領域間における前記基本画素の（必要な光量）／（発光効率）の値の相違であって、
前記値が大きい基本画素を備える単色発光領域ほど、当該単色発光領域を構成する前記基本画素の総数が多く設けられている、請求項１に記載の電気光学装置。
【請求項６】
一の画素回路によって、一の基本画素が駆動される、請求項１から５のいずれか１項に記載の電気光学装置。
【請求項７】
略同一色で発光する２以上の基本画素が、一の画素回路によって駆動される、請求項１から６のいずれか１項に記載の電気光学装置。
【請求項８】
請求項１から７のいずれか１項に記載の電気光学装置を備える電子機器。
【発明の詳細な説明】
【技術分野】
【０００１】
本発明は、画素駆動回路を用いて自己発光素子を発光させる電気光学装置に関する。
【背景技術】
【０００２】
有機エレクトロルミネッセンス（以下「ＥＬ」という）等の電気光学装置では、異なる色で発光する、即ち異なる色で発光する基本画素をマトリックス状に配列し、色画素を構成する各基本画素からの発光を合成してフルカラー表示を実現する方法が広く用いられている。一例として、赤色（Ｒ）、緑色（Ｇ）、青色（Ｂ）の基本画素を並置して色画素を構成するＲＧＢ法が挙げられる。各基本画素の発光する色は、基本画素が備える発光素子に含まれる発光材料に依存する。
【０００３】
しかし、発光材料によって発光効率が異なることがあるので、各基本画素を同じ条件で発光させると、特定の色の光量が低くなってしまい、合成したときに所望の色をきれいに表示できないことがある。特に、上記ＲＧＢ法の場合、３色が合成されることによって白色が表示されるが、この白色を表示するための輝度バランス（いわゆるホワイトバランス）が良好でないと、表示装置全体の品質を低下させることになる。
【０００４】
このような場合、有機ＥＬ等の発光素子は、光量が電流値に比例することが知られているので、より大きな光量を得たい発光素子に、より大きな電流が流れるようにすればよい。しかし、有機ＥＬでは、単位面積あたりの電流値が大きくなると、指数関数的に発光材料の劣化が早くなるので、特定の発光素子に大きな電流を流すと、その発光素子の寿命が他の発光素子に比較して短くなってしまう。その結果、色むらが生じ、表示装置全体の劣化も早くなる。
【０００５】
かかる問題を解決する方法として、発光効率が最もよい色の発光領域の発光面積を、他の色の発光領域の発光面積に比べて小さくすることにより、表示装置の長寿命化をはかるとともに、ホワイトバランスを制御する方法が開示されている（特許文献１）。特許文献１には、略等間隔に配置されたゲート信号線とドレイン信号線とに囲まれた略等面積の領域に、発光面積が異なるように形成された基本画素が開示されている。
【０００６】
一方、発光素子の耐久時間（輝度が劣化する時間）も、発光材料によって異なることが知られている。従って、各発光素子に同じ量の電流を流していても、時間と共に各色の輝度に差が生じ、ホワイトバランスが崩れたり、色むらが生じたりすることがある。
【０００７】
このような問題に対して、複数種の自己発光素子のうち、等価な電流密度に対して最短の輝度半減時間を呈する自己発光素子の発光面積を、最大の輝度半減時間を呈する自己発光素子の発光面積よりも大きくする方法が開示されている（特許文献２）。特許文献２には、信号線の間隔を変えて、基本画素の面積を変化させた表示装置が開示されている。
【特許文献１】特開平２００１−２９０４４１
【特許文献２】特開２００３−１６８５６１
【発明の開示】
【発明が解決しようとする課題】
【０００８】
ところで、発光層や正孔輸送層の形成には、スパッタリング法や、材料を含む溶液をインクジェット式吐出装置を用いて吐出するインクジェット法を用いることができる。
【０００９】
インクジェット法を用いる場合、各基本画素の発光面積が異なると、均一な厚さに吐出する条件（例えば、有機ＥＬ溶液の粘度、溶媒の種類、乾燥時の温度／真空度、液滴の量や数、液滴を吐出する位置など）が色ごとに異なることになる。吐出条件は、試験を繰り返して経験的に割り出されるので、色ごとに条件が異なると、条件を出すのに時間がかかり、製造工程が複雑になってしまう。
【００１０】
一方、インクジェット法、スパッタリング法のいずれの場合も、発光面積が大きくなるほど、膜厚が不均一になりやすく、膜厚の薄い部分からダークスポットが発生、成長する確率が高くなる。さらに、発光面積が大きくなると、異物などにより陽極と陰極がショートして、黒点が生じる確率も高くなる。欠陥が生じた基本画素が一つだけであっても、色画素中にこの基本画素が発光する原色がなくなるので、色画素全体として正常な色を発光できなくなり、微視的に見た表示装置全体の品質を低下させることになる。
【００１１】
そこで、本発明は、色画素領域を構成する単色発光領域の面積変更についての自由度が高く、かつ製造工程に関わる条件を求めるのが容易であり、その結果、各発光素子間の輝度や寿命を調整することができ、ホワイトバランスの制御が容易になるとともに、装置全体としての寿命も長い電気光学装置を提供することを目的とする。
【課題を解決するための手段】
【００１２】
上記課題を解決するために、本発明に係る電気光学装置は、互いに異なる色で発光する単色発光領域を複数種備え、各単色発光領域は、略同一色で発光し、かつ略同一面積を有する１以上の基本画素によって構成されており、各単色発光領域の前記基本画素の総数が、他の単色発光領域を構成する基本画素との間で生じる特定の不均衡状態を解消するような数に設定されていることを特徴とする。
【００１３】
かかる構成により、基本画素の数を調節することによって各単色発光領域の総面積を変更できるので面積の変更についての自由度が高い。これにより、各単色発光領域に流れる総電流量や単位面積あたりの電流量を調整し、基本画素間で生じる特定の不均衡状態を解消することができる。一方、各基本画素の面積は略同一なので、各基本画素は略同一に設計され、略同一の条件で製造することが可能となる。例えば、発光層や正孔輸送層の形成をインクジェット法によって行う場合も、それぞれの基本画素に、材料を含む溶液を同一条件で吐出すればよく、色ごとの条件検討が不要となって製造工程も単純化できる。各基本画素の発光面積に差がないので、ダークスポットが発生する確率や、異物の存在により陽極と陰極がショートする確率も等しくなり、各色の基本画素の寿命を平均化できるという利点もある。
【００１４】
また、一般に、電気光学装置の表示画面は、同じ精細度なら表示画面が大きいほど色画素のサイズも大きくなり、大画面を製造する際には、大きな基本画素を形成する必要があるが、基本画素を大きくすると膜厚を均一に形成するのが困難となる。本発明に係る電気光学装置では、各単色発光領域の発光面積を大きくする場合は、基本画素の数を増やせばよく、基本画素の発光面積は製造しやすい大きさとすることができるので、大画面の製造にも好適である。
【００１５】
さらに、各単色発光領域が複数の基本画素により構成される場合、いくつかの基本画素に欠陥が生じても、略同一の色で発光する基本画素が他にもあるので、黒点を生じにくいというメリットもある。
【００１６】
ここで、「電気光学装置」とは、電気的作用によって発光するあるいは外部からの光の状態を変化させる電気光学素子を備えた表示装置一般をいい、自ら発光するものと外部からの光の通過を制御するもの双方を含む。例えば、電気光学素子として、液晶素子、電気泳動粒子が分散した分散媒体を有する電気泳動素子、ＥＬ（エレクトロルミネッセンス）素子、電界の印加により発生した電子を発光板に当て発光させる電子放出素子を備えたアクティブマトリクス型の表示装置等をいう。
【００１７】
本発明に係る電気光学装置では、上記「不均衡状態」が、各単色発光領域間における基本画素の発光効率の相違であって、発光効率が低い基本画素を備える単色発光領域ほど、この単色発光領域を構成する基本画素の総数が多く設けられていることが好ましい。
【００１８】
かかる構成により、発光効率が低い基本画素を備える単色発光領域の発光総面積が、他の基本画素を備える単色発光領域の発光総面積より大きくなるので、単位面積あたりの電流値をより小さくなる。これにより、発光効率が低い基本画素を備える単色発光領域に、より大きな電流を流して光量を上昇させ、発光効率の不均衡状態を解消しても、発光効率の低い基本画素の寿命が短くなるのを防ぐことができる。
【００１９】
また、本発明に係る電気光学装置では、上記「不均衡状態」が、各単色発光領域間における基本画素間の耐久時間の相違であって、耐久時間が短い基本画素を備える単色発光領域ほど、この単色発光領域を構成する基本画素の総数が多く設けられていることが好ましい。
【００２０】
かかる構成により、他の基本画素より耐久時間が短い、即ち輝度が劣化するのが速い基本画素が構成する単色発光領域の発光総面積が、他の単色発光領域の発光総面積より大きくなるので、この単色発光領域における単位面積あたりの電流値はより小さくなる。これにより、この基本画素の輝度の劣化を抑えることができ、他の基本画素との寿命の不均衡を是正することが可能となる。
【００２１】
また、本発明に係る電気光学装置は、上記「不均衡状態」が、全単色発光領域の合成色が白色となるために必要とされる、各単色発光領域間の光量の相違であって、必要とされる光量が大きい単色発光領域ほど、この単色発光領域を構成する基本画素の総数が多く設けられていることが好ましい。
【００２２】
かかる構成により、良好なホワイトバランスをとるために必要とされる光量がより大きい単色発光領域の発光総面積が、他の単色発光領域の発光総面積より大きくなる。従って、この複数の基本画素で構成された単色発光領域に、より大きな電流を流して光量を大きくしても、該複数の基本画素の耐久時間が他の色の基本画素に比較して短くなるのを防ぐことができる。これにより、各原色の光量バランスが良好にとられ、合成色としてきれいな白色を得ることができる。
【００２３】
本発明に係る電気光学装置は、上記「不均衡状態」が、全単色発光領域の合成色を白色とする場合の、各単色発光領域間における基本画素の（必要な光量）／（発光効率）の値の相違であって、この値が大きい基本画素を備える単色発光領域ほど、この単色発光領域を構成する基本画素の総数が多く設けられていることが好ましい。
【００２４】
かかる構成により、良好なホワイトバランスをとるために、他の基本画素よりも、（必要な光量）／（発光効率）の値がより大きい基本画素を備える単色発光領域の発光総面積が大きくなる。従って、この複数の基本画素で構成された単色発光領域に大きな電流を流してホワイトバランスを調整しても、この基本画素の単位面積あたりの電流量はそれほど大きくならず、他の基本画素に比較して耐久時間が短くなるのを防ぐことができる。
【００２５】
また、本発明に係る電気光学装置の一態様では、一の画素回路によって、一の基本画素が駆動される。かかる構成によれば、個々の画素回路にばらつきがあっても、複数の基本画素が集合して、各単色発光領域を構成しているので、ばらつきが平均化され、輝度むらや色むらが生じにくい。さらに、一つの画素回路に欠陥が生じ、この画素回路に駆動される基本画素が発光しなくなっても、複数の基本画素が略同一色で発光しているので、黒点とならない。
【００２６】
また、本発明に係る電気光学装置の一態様では、略同一色で発光する２以上の基本画素が、一の画素回路によって駆動される。かかる構成によれば、色画素全体の構成が単純となり、回路を配置するのに必要なスペースが小さくてよいので、回路スペースが確保しにくい小型〜中型画面の表示装置においても、画素回路を配置することが可能となる。また、一の画素回路によって駆動する基本画素の数を適当に決定することで、一の画素回路によって一の基本画素を駆動した時の利点と小回路スペース化の利点の両方をバランスよく兼ね備えた設計が可能となる。
【００２７】
本発明は、上記本発明に係る電気光学装置を備える電子機器も提供する。ここで、「電子機器」とは、一定の機能を奏する機器一般をいい、その構成に特に限定はない。かかる電子機器としては、例えば、ＩＣカード、携帯電話、ビデオカメラ、パーソナルコンピュータ、ヘッドマウントディスプレイ、リア型またはフロント型のプロジェクタ、テレビジョン（ＴＶ）、ロールアップ式ＴＶ、さらに表示機能付きファックス装置、デジタルカメラのファインダ、携帯型ＴＶ、ＤＳＰ装置、ＰＤＡ、電子手帳、電光掲示板、宣伝広告用ディスプレイ等が含まれる。
【発明の効果】
【００２８】
本発明によれば、各単色発光領域は、略同一色で発光し、かつ略同一面積を有する１以上の基本画素によって構成されており、各単色発光領域間の特定の不均衡状態を解消するように、各色の基本画素の数が設定される。これにより、各単色発光領域の発光総面積を自由に変更できる一方、各基本画素の大きさおよび構成は略同一とすることができるので、色によって発光面積を変える場合も、製造工程が複雑にならない。また、発光総面積と基本画素の発光面積とを独立に決めることができるので、基本画素は、形成しやすい大きさとすることができる。さらに、略同一色で発光する基本画素が複数並置される場合は、そのうちのいくつかに欠陥が生じても、他の基本画素が発光するので黒点が生じにくい。
【発明を実施するための最良の形態】
【００２９】
以下、本実施形態の電気光学装置について、その構造及び製造方法を、図面を参照して詳細に説明する。本実施形態では、本発明に係る電気光学装置の一例として、有機ＥＬ装置について説明する。
（第一の実施形態）
図１は、第一の実施形態に係る有機ＥＬ装置１００の色画素１２を概略的に示す図である。色画素１２は、３種類の異なる原色Ａ、Ｂ、Ｃで発光する単色発光領域１４、１５および１６を備えている。単色発光領域１４は、原色Ａで発光し、かつ同一面積を有する基本画素１７によって構成され、単色発光領域１５は、原色Ｂで発光し、かつ同一面積を有する基本画素１８によって構成され、単色発光領域１６は、原色Ｃで発光し、かつ同一面積を有する基本画素１９によって構成されている。原色Ａ、Ｂ、Ｃは特に限定されないが、例えば、それぞれ赤、緑、青に対応するものとすることができ、これによりフルカラー表示が実現される。
【００３０】
有機ＥＬ装置１００は、各単色発光領域の基本画素の数を変化させることによって、各単色発光領域の発光領域の総面積を変化させ、各単色発光領域の基本画素間で生じる不均衡を解消する。
【００３１】
図１には、一例として、原色Ａで発光する基本画素１７を８個、原色Ｂで発光する基本画素１８を２１個、原色Ｃで発光する基本画素１９を１６個備え、発光面積が、原色Ｂ＞原色Ｃ＞原色Ａとなっている有機ＥＬ装置を示す。
【００３２】
かかる構成は、例えば発光効率が、基本画素１８＜基本画素１９＜基本画素１７、である場合に用いることができる。これにより、それぞれの単色発光領域に流す電流量を、単色発光領域１５＞単色発光領域１６＞単色発光領域１４とすることによって光量を調節しても、各色の発光素子の単位面積あたりの電流量には大きな差が生じないようにすることができる。従って、特定の基本画素の劣化を早めることなく、輝度のバランスを調節することが可能となり、結果として表示装置全体の寿命を長くすることができる。
【００３３】
また、かかる構成は、各原色を発光する基本画素の耐久時間、いわゆる寿命が、基本画素１８＜基本画素１９＜基本画素１７、である場合にも用いることができる。これにより、等しい量の電流を流した場合、単位面積あたりの電流量は、単色発光領域１５＜単色発光領域１６＜単色発光領域１４、となる。従って、劣化速度の速い基本画素１８の劣化を抑えることにより、基本画素間の劣化速度の差を小さくすることが可能となり、結果として有機ＥＬ装置１００全体としての寿命を長くすることができる。
【００３４】
さらに、図１に示す構成は、全原色の合成色が白色となるために必要とされる、各単色発光領域の光量が、単色発光領域１５＞単色発光領域１６＞単色発光領域１４である場合にも有効である。かかる構成により、各原色に流す電流量を単色発光領域１５＞単色発光領域１６＞単色発光領域１４としても、単位面積あたりの電流量に大きな差が生じないようにすることができる。従って、特定の原色の基本画素の劣化を早めることなく、良好なホワイトバランスを得ることが可能となり、結果として有機ＥＬ装置全体の寿命を長くすることができる。
【００３５】
図１に示す構成は、全原色の合成色を白色とする場合の、（必要な光量）／（発光効率）の値が、基本画素１８＞基本画素１９＞基本画素１７、である場合にも有用である。これにより、電流量を、単色発光領域１５＞単色発光領域１６＞単色発光領域１４としても、各基本画素の単位面積あたりの電流量には大きな差が生じないようにすることができ、特定の基本画素の劣化を早めることなく、ホワイトバランスを制御することが可能となり、結果として有機ＥＬ装置１００全体の寿命を長くすることもできる。
【００３６】
図２に、本実施形態における有機ＥＬ装置１００の接続図を示す。
【００３７】
本実施形態では、一の基本画素は、一の画素回路によって駆動される。ドライバ領域２０から供給される走査線Ｖsel及び発光制御線Ｖgpが各基本画素領域に供給され、走査線Ｖselとデータ線Ｉdataとを制御することにより、各基本画素に対する電流プログラムが行われ、該基本画素に含まれる発光素子の発光層が発光する。基本画素は、各ＶselおよびＩdata線に囲まれた領域であり、各基本画素には、ＯＬＥＤで示される一の発光素子と、対応する一の画素回路２２が備えられている。
【００３８】
図３に、有機ＥＬ装置１００の断面図を示す。図３は、図１中のIII−III線に沿った断
面図の一部である。本実施形態において、有機ＥＬ装置１００は、発光層４２からの発光が、基板３０と反対方向に陰極４６を介して取り出される、いわゆるトップエミッション型の示装置である。
【００３９】
基板３０上にＴＦＴ３２が等間隔で形成され、酸化シリコン膜等からなる平坦化絶縁膜３４が積層されている。絶縁膜３４にはコンタクトホールが設けられ、コンタクトホールで導電材料が埋められることにより、ＴＦＴ３２と陽極３６とが接続される。陽極３６は、例えば、アルミニウム、金、銀、マグネシウム、ニッケル、亜鉛、亜鉛−バナジウム、インジウム、スズなどの金属とすることができ、スパッタリング法、イオンプレーティング法、真空蒸着法等によって形成することができる。
【００４０】
陽極上には各発光領域を隔絶するための絶縁膜３８が設けられる。絶縁膜３８は、例えば、酸化シリコン膜とすることができ、ＣＶＤ法等によって基板全面に堆積させてから、陽極を露出させるように、フォトリソグラフィー法やエッチング法によってパターニングできる。絶縁膜３８上には、アクリル等からなるバンク４０が形成されている。バンク４０は基板表面全体に材料を積層させ、エッチングによって発光領域に相当する部分を除去することにより形成される。
【００４１】
バンク４０で画定された領域には、それぞれの基本画素に対応した原色で発光する発光材料を含む発光層４２が形成されている。発光層４２は、例えば発光材料を含む組成物インクを吐出し、その後乾燥処理および熱処理を施して形成することができる。発光材料としては、フルオレン系誘導体や、ポリフェニレン誘導体、ポリビニルカルバゾール、ポリチオフェン誘導体、またはこれら高分子材料にペリレン系色素、クマリン系色素、ローダミン系色素、例えば、ルブレン、ペリレン、９，１０−ジフェニルアントラセン、テトラフェニルブタジエン、ナイルレッド、クマリン６、キナクリドン等をドープして用いることができ、それぞれ異なる色を発光させることができる。
【００４２】
発光層４２およびバンク４０上に、透明陰極４６および封止膜４８が設けられている。陰極４６は、例えば、ＩＴＯ（Indium Tin Oxide）や、インジウムと亜鉛の酸化物（ＩＸＯ）などの透明材料を用いて、スパッタリング法等により形成することができる。
光透過性を有する材料を用いて、陰極４６を形成することにより、発光層により発光を、陰極を介して取り出すトップエミッション型とすることができる。トップエミッション型の有機ＥＬ装置は、基板上のＴＦＴや配線等に光の進路を妨げられることがないので、発光面積率を大きくすることができ、基板や陽極に透明材料を用いる必要もない。
【００４３】
上述のように、本実施形態に係る有機ＥＬ装置１００は、各原色の基本画素の数を変更することによって各原色の発光面積が変更され、各基本画素は略等しい大きさに形成される。従って、各原色の発光面積を変更する場合は、どの基本画素にどのインクを吐出するかのみを変更すればよく、基本画素の面積は同一なので構造上の設計変更はほとんど必要ない。各基本画素の大きさは、各原色の発光面積と関係なく、形成しやすい大きさに設計することができるので、製造工程も簡略化しやすい。
【００４４】
また、一般に、ダークスポットの発生確率、発光層や正孔輸送層等の膜厚のばらつき、発光層や正孔輸送層上の異物により陽極と陰極がショートする可能性などは、発光面積が大きくなるほど大きくなる。本実施形態に係る有機ＥＬ装置１００は、基本画素の個数を増やすことによって発光面積を大きくするので、一の基本画素に欠陥が生じても、略同一の原色で発光する基本画素が残り、輝度ムラや色ムラ、黒点等が生じ難い。
【００４５】
さらに、基本画素ごとに画素回路が設けられることにより、画素回路にばらつきがあっても、同一の原色で発光する基本画素が他にも存在するので、ばらつきが平均化され、輝度ムラや色ムラが生じにくい。また、一つの画素回路に欠陥があって、この画素回路が駆動する基本画素が発光しなくても、同一の原色で発光する基本画素が他にも存在するので、黒点が生じない。
【００４６】
なお、本実施形態では、トップエミッション型に限定して説明したが、ボトムエミッション型とすることも可能である。ボトムエミッション構造の場合は、図３において、陽極３６および基板３０を介して、発光が外部に放射されるので、陽極および基板は光透過性材料で形成される。かかる構造も本発明に包含される。
【００４７】
ボトムエミッション型の場合、基板２０の材料としては、ポリエステル、ポリアクリレート、ポリカーボネート等の透明樹脂、ガラス等の透明材料を用いることができ、陽極は、ＩＴＯ（Indium Tin Oxide）や、インジウムと亜鉛の酸化物（ＩＸＯ）などの透明材料を用いて、スパッタリング法等により形成することができる。一方陰極は、アルミやアルミを含む合金等、光透過性を有しない材料を用いて、蒸着法やスパッタリング法により形成することができる。
【００４８】
なお、本実施形態の場合は、各基本画素に画素回路が形成されるので、ボトムエミッション型の場合は、発光面積率が低下させられないような配置でＴＦＴやキャパシタを形成する。
（第二の実施形態）
第二の実施形態に係る有機ＥＬ装置２００は、一つの色画素において、同一色で発光する基本画素が一の画素回路によって駆動されることを特徴とする。従って、色画素の構成や、各原色ごとの基本画素の総数を変更して、他の原色を構成する基本画素との間で生じる特定の不均衡状態を解消する点に関しては、上述の第一の実施形態と同様であるため説明を省略する。
【００４９】
図４に、第二の実施形態に係る有機ＥＬ装置２００の接続図を示す。
【００５０】
本実施形態では、一つの色画素において、同一色で発光する基本画素の全てが、一の画素回路によって駆動される。有機ＥＬ装置２００の色画素は、原色Ａ、Ｂ、Ｃの三つの原色で発行する単色発光領域を備えるので、一の色画素は三つの画素回路によって駆動される。図４は、色画素の一部を示しており、原色Ａで発光する４つの基本画素は、画素回路４２によって駆動され、原色Ｂで発光する８つの基本画素は画素回路４４によって駆動される。各原色に対応する画素回路は、その単色発光領域の発光素子を総て駆動しうるだけの電流容量を有するように設計される。
【００５１】
本実施形態に係る有機ＥＬ装置２００も、トップエミッション型およびボトムエミッション型のいずれとすることも可能であり、その構造は、上記第一の実施形態とほぼ同様であるため説明を省略する。なお、本実施形態では、画素回路が設けられていない基本画素においては、ボトムエミッション型の場合もＴＦＴやキャパシタに光の放出を妨げられることがなく、比較的発光面積率を大きくすることが可能である。
【００５２】
このように、同一の色で発光する基本画素の全てを一の画素回路によって駆動することにより、構造を単純化することができ、回路を配置するのに必要なスペースが小さくてよいので、回路スペースが確保しにくい小型〜中型画面の表示装置においても、画素回路を配置することが可能となる。
【００５３】
図４に示した例においては、原色Ａで発光する４つの基本画素は、画素回路４２によって駆動され、原色Ｂで発光する８つの基本画素は画素回路４４によって駆動されていたが、画素回路の数を更に増やして、例えば、原色Ａで発光する４つの基本画素を２つの画素回路で駆動し、原色Ｂで発光する８つの基本画素を４つの画素回路によって駆動する構成をとっても構わない。このように、一の画素回路によって駆動する基本画素の数を適当に決定することで、一の画素回路によって一の基本画素を駆動した時の利点と、同一の色で発光する基本画素の全てを一の画素回路によって駆動した時の利点との両方を、バランスよく兼ね備えた設計が可能となる。
【００５４】
図５及び図６は、上述した有機ＥＬ装置１００または有機ＥＬ装置２００を適用可能な電子機器の例を示す図である。図５（Ａ）は携帯電話への適用例であり、当該携帯電話２３０はアンテナ部２３１、音声出力部２３２、音声入力部２３３、操作部２３４、および本発明の有機ＥＬ表示装置１００を備えている。このように本発明に係る有機ＥＬ装置は表示部として利用可能である。図５（Ｂ）はビデオカメラへの適用例であり、当該ビデオカメラ２４０は受像部２４１、操作部２４２、音声入力部２４３、および本発明の有機ＥＬ表示装置１００を備えている。
【００５５】
図５（Ｃ）は携帯型パーソナルコンピュータ（いわゆるＰＤＡ）への適用例であり、当該コンピュータ２５０はカメラ部２５１、操作部２５２、および本発明に係る有機ＥＬ装置１００を備えている。図５（Ｄ）はヘッドマウントディスプレイへの適用例であり、当該ヘッドマウントディスプレイ２６０はバンド２６１、光学系収納部２６２および本発明に係る有機ＥＬ装置１００を備えている。
【００５６】
図６（Ａ）はテレビジョンへの適用例であり、当該テレビジョン３００は本発明に係る有機ＥＬ装置１００を備えている。なお、パーソナルコンピュータ等に用いられるモニタ装置に対しても同様に本発明に係る有機ＥＬ装置を適用し得る。図６（Ｂ）はロールアップ式テレビジョンへの適用例であり、当該ロールアップ式テレビジョン３１０は本発明に係る有機ＥＬ装置１００を備えている。
【００５７】
また、本発明に係る有機ＥＬ装置１００は、上述した例に限らず表示機能を有する各種の電子機器に適用可能である。例えばこれらの他に、表示機能付きファックス装置、デジタルカメラのファインダ、携帯型ＴＶ、電子手帳、電光掲示盤、宣伝公告用ディスプレイなどにも活用することができる。
【００５８】
なお、本発明は上述した実施形態の内容に限定されることなく、本発明の要旨の範囲内で種々に変形実施が可能である。例えば、上述した実施形態では、電気光学装置の例として、有機ＥＬ装置をとりあげて説明したが、これ以外にも種々の電気光学装置に適用することが可能である。
【図面の簡単な説明】
【００５９】
【図１】一実施形態の有機ＥＬ表示装置について説明する図である。
【図２】一実施形態の有機ＥＬ表示装置について説明する図である。
【図３】一実施形態の有機ＥＬ表示装置について説明する図である。
【図４】一実施形態の有機ＥＬ表示装置について説明する図である。
【図５】電気光学装置を適用可能な電子機器の例を示す図である。
【図６】電気光学装置を適用可能な電子機器の例を示す図である。
【符号の説明】
【００６０】
１００、２００…有機ＥＬ表示装置、１２…色画素、１４、１５、１６…単色発光領域、１７、１８、１９…基本画素、２０…ドライバ領域、２２、４２、４４…画素回路、３０…基板、３２…ＴＦＴ、３４、３８…絶縁膜、３６…陽極、４０…バンク、４２…発光層、４６…透明陰極、４８…封止膜
【図１】
2005209542.tif 000003
【図２】
2005209542.tif 000004
【図３】
2005209542.tif 000005
【図４】
2005209542.tif 000006
【図５】
2005209542.tif 000007
【図６】
2005209542.tif 000008